(57)【要約】 【課題】  照明のバリエーションの多い撮影を行うことが可能な写真プリント装置を提供する。【解決手段】  写真プリント装置１の撮影空間２において、トップストロボ１２を、カメラユニット８の上の領域に配置させ、被写体の特定部位における照度が高くなるように光を照射させる。これにより、被写体の特定部位を際立たせて照射した撮影を行うことができる。また、撮影の背景となる遮光性を有さない背景カーテン２１に対し、利用者とは反対から光を照射するための背景ライト２２・２３を設ける。これにより、背景カーテン２１の少なくとも一部領域の照度が変化した撮影を行うことができる。【選択図】  図１
2005189652.tif 000002
【特許請求の範囲】
【請求項１】
被写体の撮影を行う撮影手段と、当該撮影手段によって撮影された画像に基づいて、プリント媒体に対して画像の出力を行う画像出力手段とを備えた写真プリント装置において、
少なくとも写真撮影時に被写体に光を照射する照射手段を複数備え、
上記複数の照射手段のうち、少なくとも１つの照射手段である強調照射手段は、
鉛直方向に長い形状の発光面を有し、かつ、
上記撮影手段より上の領域における、撮影手段の撮影中心方向と鉛直方向とが作る面の一部を含むように配置されているとともに、
上記撮影手段から撮影中心方向となる直線上であって、上記撮影手段から所定の距離となる所定位置の上記強調照射手段による照度が、他の照射手段の何れか１つの上記所定位置での照度よりも強くなっていることを特徴とする写真プリント装置。
【請求項２】
上記強調照射手段の発光面における単位面積当たりの輝度が、他の照射手段の何れの１つよりも強くなっていることを特徴とする請求項１に記載の写真撮影装置。
【請求項３】
上記強調照射手段の発光面は、略長方形であることを特徴とする請求項１に記載の写真撮影装置。
【請求項４】
上記強調手段の発光面の法線が、撮影手段の撮影中心方向と鉛直方向とが作る面上にあるように、上記強調手段が配置されていることを特徴とする請求項１ないし３の何れか１項に記載の写真プリント装置。
【請求項５】
撮影手段の撮影中心方向と鉛直方向とが作る面を挟んだ左右の領域に、それぞれ少なくとも１つの上記照射手段が配置されていることを特徴とする請求項１ないし３の何れか１項に記載の写真プリント装置。
【請求項６】
撮影手段の撮影中心方向と鉛直方向とが作る面を挟んだ左右の領域に配置されている上記照射手段の発光面は、略円形または略楕円形となっていることを特徴とする請求項５に記載の写真撮影装置。
【請求項７】
さらに、上記撮影手段の下の領域で、かつ、撮影手段の撮影中心方向と鉛直方向とが作る面の一部を含むように配置される照射手段を有することを特徴とする請求項１ないし６の何れか１項に記載の写真プリント装置。
【請求項８】
被写体の撮影を行う撮影手段と、当該撮影手段によって撮影された画像に基づいて、プリント媒体に対して画像の出力を行う画像出力手段とを備えた写真プリント装置において、
背景演出手段を有し、
上記背景演出手段は、
撮影の背景として用いられる、遮光性を有さない背景部材と、
上記背景部材の少なくとも一部の領域の照度が変化するように、上記背景部材に対し被写体とは反対側から、光を照射する第１背景照射手段とを備えることを特徴とする写真プリント装置。
【請求項９】
上記第１背景照射手段は、上記背景部材における背景となる面における左右の一部領域に向かって照射するように配置されていることを特徴とする請求項８に記載の写真プリント装置。
【請求項１０】
上記第１背景照射手段の光量調整を行う第１光量調整手段を有することを特徴とする請求項８または９に記載の写真プリント装置。
【請求項１１】
上記第１背景照射手段が、定常的に発光するための第１定常発光手段、及び、撮影の瞬間に強い光を発するための第１撮影時発光手段を備えていることを特徴とする請求項８ないし１０のいずれか１項に記載の写真プリント装置。
【請求項１２】
上記第１光量調整手段は、上記第１背景照射手段の発光／非発光を制御することを特徴とする請求項１０または１１に記載の写真プリント装置。
【請求項１３】
上記背景部材に対して、被写体と同じ側から光を照射する第２背景照射手段を有することを特徴とする請求項８ないし１２の何れか１項に記載の写真プリント装置。
【請求項１４】
上記第２背景照射手段の光量の調整を行う第２光量調整手段を有することを特徴とする請求項１３記載の写真プリント装置。
【請求項１５】
上記第２背景照射手段が、定常的に発光するための第２定常発光手段、及び、撮影の瞬間に強い光を発するための第２撮影時発光手段を備えていることを特徴とする請求項１３または１４に記載の写真プリント装置。
【請求項１６】
上記第２光量調整手段は、上記第２背景照射手段の発光／非発光を制御することを特徴とする請求項１４または１５に記載の写真プリント装置。
【請求項１７】
被写体の撮影を行う撮影手段と、当該撮影手段によって撮影された画像に基づいて、プリント媒体に対して画像の出力を行う画像出力手段とを備えた写真プリント装置における撮影方法において、
撮影の背景として用いられる、遮光性を有さない背景部材の少なくとも一部の領域の照度が変化するように、上記背景部材に対し被写体とは反対側から光を照射する第１照射ステップと
第１照射ステップによる照射が行われている状態で撮影を行う撮影ステップとを含むことを特徴とする写真プリント装置における撮影方法。
【請求項１８】
上記第１照射ステップでは、上記背景部材における背景となる面におけるの左右の一部領域に向かって光を照射することを特徴とする請求項１７に記載の写真プリント装置における撮影方法。
【請求項１９】
上記第１照射ステップにおいて照射される光の光量を調整する第１光量調整ステップをさらに含むことを特徴とする請求項１７または１８に記載の写真プリント装置における撮影方法。
【請求項２０】
上記第１照射ステップは、定常的に発光する第１定常照射ステップと撮影の瞬間に強い光を照射する第１撮影時照射ステップとを含むことを特徴とする請求項１７ないし１９のいずれか１項に記載の写真プリント装置における撮影方法。
【請求項２１】
上記第１光量調整ステップでは、照射される光の発光／非発光が制御されることを特徴とする請求項１９または２０に記載の写真プリント装置における撮影方法。
【請求項２２】
上記背景部材に対し被写体と同じ側から光を照射する第２照射ステップを含むことを特徴とする請求項１７ないし２１の何れか１項に記載の写真プリント装置における撮影方法。
【請求項２３】
上記第２照射ステップにおいて照射される光の光量を調整する第２光量調整ステップをさらに含むことを特徴とする請求項２２に記載の写真プリント装置における撮影方法。
【請求項２４】
上記第２照射ステップは、定常的に発光する第２定常照射ステップと撮影の瞬間に強い光を照射する第２撮影時照射ステップとを含むことを特徴とする請求項２２または２３に記載の写真プリント装置における撮影方法。
【請求項２５】
上記第２光量調整ステップでは、照射される光の発光／非発光が制御されることを特徴とする請求項２３または２４に記載の写真プリント装置における撮影方法。
【発明の詳細な説明】
【技術分野】
【０００１】
本発明は、利用者の写真撮影を行うとともに、その写真を背景画像や落書き画像などと合成した上で写真プリントとして出力する写真プリント装置に関するものである。
【背景技術】
【０００２】
従来、例えばゲームセンターなどの娯楽施設において、利用者の写真撮影を行うとともに、その写真を背景画像などと合成した上でシールプリントとして出力する写真プリント装置が設置されており、人気を博している。この写真プリント装置には、撮影した画像上に利用者が付属のタッチペンで任意の文字や図形などを書き込むことが可能となっているものも存在している。このような写真プリント装置での処理は、コイン投入、撮影処理、編集（落書き）処理、シール印刷という流れになっており、一連の操作を終了した利用者は、投入したコインに対する成果物であるシールプリントを受け取ることによってプレイを終了することになる。
【０００３】
一般に、上記写真プリント装置では、撮影時における照明としては、カメラユニットなどが内蔵される筐体において、カメラユニットの上部や左右部に照明装置が設けられている。撮影時には、上記照明装置から写真閃光灯が利用者に向けて照射され、その反射光が撮影カメラに入射されることにより、撮影画像が取得される。
【特許文献１】特開平１０−２８２５７１号公報（公開日１９９８年１０月２３日）
【特許文献２】特開２００３−１９５４１２号公報（公開日２００３年７月９日）
【特許文献３】特開平１０−３０４２８５号公報（公開日１９９８年１１月１３日）
【特許文献４】特開２００３−３０４４７４号公報（公開日２００３年１０月２４日）
【発明の開示】
【発明が解決しようとする課題】
【０００４】
しかし、上記のような従来の写真プリント装置では、画一的な照明が行われるのみであって、利用者にとっては、常に写り方が略一定の写真を得ることになる。そのため、照明における様々なバリエーションが望まれる。
【０００５】
また、従来の写真プリント装置において、カメラユニットの上部や左右部に照明装置を設けた構成では、確かに撮影に十分な照明を被写体に照射することは可能であるが、被写体の顔部などにおいて、メリハリが少なく、のっぺりとした印象の撮影画像となっていた。
【０００６】
また、従来の写真プリント装置では、利用者の背景として用いられるカーテン等には、置き場所のスペースの問題により限られた枚数のカーテン等しか設置できない。そのため利用者は、少ないバリエーションの中から好みの背景を選ばなければならない。
【０００７】
本発明は上記の問題点を解決するためになされたもので、その目的は、照明のバリエーションの多い写真プリント装置を提供することにある。また、より詳細には、被写体における特定部位を際立たせて光照射する、つまりメリハリがあり立体感のある写真を提供することのできる写真プリント装置を提供することにある。また、利用者により多くの背景のバリエーションを供することができる写真プリント装置を提供することにある。
【課題を解決するための手段】
【０００８】
本発明に係る写真プリント装置は、上記課題を解決するために、被写体の撮影を行う撮影手段と、当該撮影手段によって撮影された画像に基づいて、プリント媒体に対して画像の出力を行う画像出力手段とを備えた写真プリント装置において、少なくとも写真撮影時に被写体に光を照射する照射手段を複数備え、上記複数の照射手段のうち、少なくとも１つの照射手段である強調照射手段は、鉛直方向に長い形状の発光面を有し、かつ、
上記撮影手段より上の領域における、撮影手段の撮影中心方向と鉛直方向とが作る面の一部を含むように配置されているとともに、上記撮影手段から撮影中心方向となる直線上であって、上記撮影手段から所定の距離となる所定位置の上記強調照射手段による照度が、他の照射手段の何れか１つの上記所定位置での照度よりも強くなっていることを特徴としている。
【０００９】
上記構成によれば、強調照射手段が、鉛直方向に長い形状の発光面を有していることにより、被写体の特定部位に対して鉛直方向に長い光を照射することができる。また、強調照射手段において、撮影手段より上の領域における、撮影手段の撮影中心方向と鉛直方向とが作る面の一部を含むように配置されているため、撮影手段の略真上から、発光面が被写体位置に向かった光を照射することができる。また、強調照射手段が、撮影手段の撮影中心方向と鉛直方向とが作る面の一部を含むように配置されているため、被写体に照射した光の反射光を確実に撮影手段に入れることができる。
【００１０】
また、強調照射手段における、撮影手段から撮影中心方向となる直線上であって、撮影手段から所定の距離となる所定位置の照度が、他の照射手段の何れか１つの上記所定位置での照度よりも強くなっているため、上記所定の位置を際立たせて光らせることができる。
【００１１】
上記のような強調照射手段により、被写体における特定部位を際立たせて照射することができるという効果を奏する。ゆえに、上記所定の位置における被写体の特定部位においてメリハリのある、立体感のある品位の高い写真を提供することができる。なお、上記被写体の特定部位が鼻である場合には、鼻筋の通った立体感のある顔の写りの写真を提供することができる。そのため、利用者に写真写りがよい写真プリント装置であるという印象を持たせることが可能となる。また、照明における様々なバリエーションを提供することができるという効果を奏する。
【００１２】
本発明に係る写真プリント装置では、上記構成に加え、上記強調照射手段の発光面の単位面積当たりの輝度が、他の照射手段の何れの１つよりも強くなっている。
【００１３】
上記構成によれば、強調照射手段から、照射方向に向けて際立たせた光を照射することができる。よって、被写体における特定部位を特に際立たせて照射することができる。
【００１４】
本発明に係る写真プリント装置では、上記構成に加え、上記強調照射手段の発光面が、略長方形であってもよい。
【００１５】
上記構成によれば、発光面が略長方形であるため、強調照射手段を形成する際に、複雑な形成方法によらず、容易に発光面を構成する部材を作成することができる。
【００１６】
本発明に係る写真プリント装置では、上記構成に加え、上記強調手段の発光面の法線が、撮影手段の撮影中心方向と鉛直方向とが作る面上にあるように、上記強調手段が配置されていてもよい。
【００１７】
上記構成によれば、強調照射手段は、撮影手段の撮影中心方向と鉛直方向とが作る面上において、所定の鋭角下向きに向けて光を照射することになる。そのため、平均的利用者の立ち位置である撮影手段正面にむけて、所定の鋭角下向きに向けて光を照射することができる。よって、的確に利用者の特定部位に向けて光を照射することができる。また、平均的利用者の立ち位置に立つ利用者からの反射光を確実に撮影手段に入れることができる。
【００１８】
本発明に係る写真プリント装置では、上記構成に加え、撮影手段の撮影中心方向と鉛直方向とが作る面を挟んだ左右の領域に、それぞれ少なくとも１つの上記照射手段が配置されていてもよい。
【００１９】
上記構成によれば、撮影手段の撮影中心方向と鉛直方向とが作る面を挟んだ左右の領域に、それぞれ少なくとも１つの上記照射手段が配置されることで、被写体にバランスのよい光を照射することができる。また、利用者の満足度が高くなる美しい仕上がりの写真を提供することができる。また上記のような配置により、被写体が撮影手段から離れても、撮影手段に近づいても、略均一の明るさで照射することができ、利用者に満足度の高い撮影空間を提供することができる
本発明に係る写真プリント装置では、上記構成に加え、撮影手段の撮影中心方向と鉛直方向とが作る面を挟んだ左右の領域に配置されている照射手段の発光面が、略円形または略楕円形となっていてもよい。
【００２０】
上記の構成によれば、発光面が略円形または略楕円形であることから、照射領域に向けて、大きく広げて光を出射させることができるので、効率よく被写体を照明することができる。また、このような形状の照射手段は、例えばプロのカメラマンが撮影を行う時などに使われる照明装置と類似することになるので、利用者に対して、本格的な撮影が行われているような雰囲気を提供することができる。
【００２１】
本発明に係る写真プリント装置は、上記構成に加え、さらに、上記撮影手段の下の領域で、かつ、撮影手段の撮影中心方向と鉛直方向とが作る面の一部を含むように配置される照射手段を有していてもよい。
【００２２】
上記構成のよると、被写体の下から被写体を照射することができる。そのため、被写体の顎の下と首との間に影のできない、写真を提供することができる。また、上記のような照射手段の配置により、被写体が撮影手段から離れても、撮影手段に近づいても、さらに略均一の明るさで照射することができ、利用者に満足度の高い撮影空間を提供することができる。
【００２３】
本発明に係る写真プリント装置は、上記課題を解決するために、被写体の撮影を行う撮影手段と、当該撮影手段によって撮影された画像に基づいて、プリント媒体に対して画像の出力を行う画像出力手段とを備えた写真プリント装置において、背景演出手段を有し、上記背景演出手段は、撮影の背景として用いられる、遮光性を有さない背景部材と、上記背景部材の少なくとも一部の領域の照度が変化するように、上記背景部材に対し被写体とは反対側から、光を照射する第１背景照射手段とを備えることを特徴としている。
【００２４】
また、本発明に係る写真プリント装置における撮影方法は、被写体の撮影を行う撮影手段と、当該撮影手段によって撮影された画像に基づいて、プリント媒体に対して画像の出力を行う画像出力手段とを備えた写真プリント装置における撮影方法において、撮影の背景として用いられる、遮光性を有さない背景部材の少なくとも一部の領域の照度が変化するように、上記背景部材に対し被写体とは反対側から光を照射する第１照射ステップと、第１照射ステップによる照射が行われている状態で撮影を行う撮影ステップとを含むことを特徴としている。
【００２５】
上記構成および方法によれば、背景となる遮光性を有さない背景部材において、光の輝度が高い領域では色が薄く、輝度が低い領域では色が濃くなる。そのため、背景部材の少なくとも一部の領域にグラデーションを付けることができるという効果を奏する。例えば、写真プリント装置における置き場所のスペースの問題等により、限られた数の背景部材しか有さない場合でも、背景部材にグラデーションを付けるということで、利用者は、グラデーションのある背景部材、ない背景部材の中から好みのものを選択することができる。そのため、グラデーションのない背景部材だけのときに比べ、倍の選択肢の中から好みの背景を選択することができる。すなわち、利用者により多くの背景のバリエーションを提供することができる。
【００２６】
また、照明における様々なバリエーションを提供することができるという効果を奏する。
【００２７】
本発明に係る写真プリント装置では、上記構成に加え、上記第１背景照射手段が、上記背景部材における背景となる面における左右の一部領域に向かって照射するように配置されていてもよい。
【００２８】
また、本発明に係る写真プリント装置における撮影方法は、上記方法に加え、上記第１照射ステップでは、上記背景部材における背景となる面における左右の一部領域に向かって光を照射してもよい。
【００２９】
上記構成および方法によれば、背景部材における背景となる面を正面に見て、背景部材の中央から上下に向かってグラデーションができる。よって、グラデーションの美しい背景として品位の高いものを提供することができる。
【００３０】
本発明に係る写真プリント装置は、上記構成に加え、上記第１背景照射手段の光量調整を行う第１光量調整手段を有していてもよい。
【００３１】
また、本発明に係る写真プリント装置における撮影方法は、上記方法に加え、上記第１照射ステップにおいて照射される光の光量を調整する第１光量調整ステップをさらに含んでもよい。
【００３２】
上記構成および方法によれば、第１背景照射手段の光量を適宜変更することができるので、利用者の好みにきめ細かく応じたグラデーションの背景部材となるように、背景部材を照射することができる。また、背景部材におけるグラデーションのバリエーションを増やすことができる。
【００３３】
本発明に係る写真プリント装置では、上記構成に加え、上記第１背景照射手段が、定常的に発光するための第１定常発光手段、及び、撮影の瞬間に強い光を発するための第１撮影時発光手段を備えていてもよい。
【００３４】
また、本発明に係る写真プリント装置における撮影方法は、上記方法に加え、上記第１照射ステップは、定常的に発光する第１定常照射ステップと撮影の瞬間に強い光を照射する第１撮影時照射ステップとを含んでもよい。
【００３５】
上記のおよび方法によれば、第１背景照射手段には、第１定常発光手段及び第１撮影時発光手段の両方が設けられている。よって、撮影処理時において、利用者が例えばライブビュー画像を見ながら背景部材のグラデーションを考える際には、第１定常発光手段による定常光が背景部材に照射され、これによって光の当たり具合を確認することが可能となる。また、第１定常発光手段による定常光が上記遮光性を有さない背景部材を通して撮影の空間を明るくすることができる。そのため、撮影の空間にいる利用者に明るい雰囲気で快適に撮影を行えるという印象を与えることができる。また、撮影の瞬間には第１撮影時発光手段が発光することによって、グラデーションのある背景部材の撮影に必要な強い光を背景部材に照射することが可能となる。
【００３６】
本発明に係る写真プリント装置では、上記構成に加え、上記第１光量調整手段が、上記第１背景照射手段の発光／非発光を制御してもよい。
【００３７】
また、本発明に係る写真プリント装置における撮影方法は、上記方法に加え、上記第１光量調整ステップでは、照射される光の発光／非発光が制御されてもよい。
【００３８】
上記構成および方法によれば、利用者がグラデーションのない背景部材で撮影を行いたい場合には、第１光量調整手段は、第１背景照射手段の第１撮影時発光手段を発光させない（非発光とする）ことで、グラデーションのない背景部材で撮影を可能とすることができ、反対に、利用者がグラデーションのある背景部材で撮影を行いたい場合には、第１光量調整手段は、第１背景照射手段の第１撮影時発光手段を発光させることで、背景部材の色の薄いものでの撮影を可能とすることができる。ゆえに、利用者の好みに応じた背景で撮影を行うことができる。
【００３９】
また、写真プリント装置において、ライブビュー画像を写しだす表示装置を有している場合に、第１光量調整手段は、第１背景照射手段の第１定常発光手段を発光させないことで、同じ背景部材であっても、グラデーションがあるものとないものとの違いをライブビュー画像において表示させることができる。つまり、第１定常発光手段が発光している場合のライブビュー画像が、グラデーションがある背景部材での撮影状態を表示しており、第１定常発光手段が発光していない場合のライブビュー画像が、グラデーションがない背景部材での撮影状態を表示していることになる。そのため、利用者にライブビュー画像を通して背景部材グラデーションのあるなしを確認させることができる。
【００４０】
本発明に係る写真プリント装置は、上記構成に加え、上記背景部材に対して、被写体と同じ側から光を照射する第２背景照射手段を有していてもよい。
【００４１】
また、本発明に係る写真プリント装置における撮影方法は、上記方法に加え、上記背景部材に対し被写体と同じ側から光を照射する第２照射ステップを含んでもよい。
【００４２】
上記構成および方法によれば、背景部材に対して被写体と同じ側からの光の照射により、背景部材を明るくはっきりと照らすことができる。そのため、背景の明るい写真を提供することができる。また、背景部材において、特定の領域に向かって照射すると、背景部材において照度を変化させることができる。そのため、背景部材にグラデーションを付けることができる。ゆえに、上記第１背景照射手段による背景部材のグラデーションのバリエーションに加え、さらにバリエーションを増やすことができる。
【００４３】
本発明に係る写真プリント装置は、上記構成に加え、上記第２背景照射手段の光量の調整を行う第２光量調整手段を有していてもよい。
【００４４】
また、本発明に係る写真プリント装置における撮影方法は、上記方法に加え、上記第２照射ステップにおいて照射される光の光量を調整する第２光量調整ステップをさらに含んでもよい。
【００４５】
上記構成および方法によれば、第２背景照射手段の光量を適宜変更することができるので、利用者の好みにきめ細かく応じた光量で背景部材を照射することができる。また、背景部材における色のバリエーションをさらに増やすことができる。
【００４６】
本発明に係る写真プリント装置は、上記構成に加え、上記第２背景照射手段が、定常的に発光するための第２定常発光手段、及び、撮影の瞬間に強い光を発するための第２撮影時発光手段を備えていてもよい。
【００４７】
また、本発明に係る写真プリント装置における撮影方法は、上記方法に加え、上記第２照射ステップは、定常的に発光する第２定常照射ステップと撮影の瞬間に強い光を照射する第２撮影時照射ステップとを含んでもよい。
【００４８】
上記の構成および方法によれば、第２背景照射手段には、第２定常発光手段及び第２撮影時発光手段の両方が設けられているので、撮影処理時において、利用者が例えばライブビュー画像を見ながら背景部材の色の濃さやグラデーションを考える際には、第２定常発光手段による定常光が背景部材に対して照射され、これによって光の当たり具合を確認することが可能となる。また、撮影の瞬間には第２撮影時発光手段が発光することによって、はっきりした色合いの背景部材やグラデーションのある背景部材の撮影に必要な強い光を利用者に照射することが可能となる。
【００４９】
本発明に係る写真プリント装置は、上記構成に加え、上記第２光量調整手段は、上記第２背景照射手段の発光／非発光を制御してもよい。
【００５０】
また、本発明に係る写真プリント装置における撮影方法は、上記方法に加え、上記第２光量調整ステップでは、照射される光の発光／非発光が制御されてもよい。
【００５１】
上記構成および方法によれば、利用者が背景部材の色が濃いもので撮影を行いたい場合には、第２光量調整手段は、第２背景照射手段の第２撮影時発光手段の発光させない（非発光とする）ことで、背景部材の色の濃いものでの撮影を可能とすることができ、反対に、利用者が背景部材の色が薄いもので撮影を行いたい場合には、第２光量調整手段は、第２背景照射手段の第２撮影時発光手段を発光させることで、背景部材の色の薄いものでの撮影を可能とすることができる。ゆえに、利用者の好みに応じた濃さの背景で撮影を行うことができる。
【００５２】
また、写真プリント装置において、ライブビュー画像を写しだす表示装置を有している場合に、第２光量調整手段は、第２背景照射手段の第２定常発光手段を発光させないことで、色が同じ背景部材であっても、色が薄いものと濃いものとの違いをライブビュー画像において表示させることができる。つまり、第２定常発光手段が発光している場合のライブビュー画像が、背景部材の色の薄いものでの撮影状態を表示しており、第２定常発光手段が発光していない場合のライブビュー画像が、背景部材の濃い色のものでの撮影状態を表示していることになる。そのため、利用者にライブビュー画像を通して背景部材の色の濃さを確認させることができる。
【発明の効果】
【００５３】
本発明に係る写真プリント装置は、以上のように、少なくとも写真撮影時に被写体に光を照射する照射手段を複数備え、上記複数の照射手段のうち、少なくとも１つの照射手段である強調照射手段は、鉛直方向に長い形状の発光面を有し、かつ、上記撮影手段より上の領域における、撮影手段の撮影中心方向と鉛直方向とが作る面の一部を含むように配置されているとともに、上記撮影手段から撮影中心方向となる直線上であって、上記撮影手段から所定の距離となる所定位置の上記強調照射手段による照度が、他の照射手段の何れか１つの上記所定位置での照度よりも強くなっている。
【００５４】
上記構成によれば、強調照射手段が、鉛直方向に長い形状の発光面を有していることにより、被写体の特定部位に対して鉛直方向に長い光を照射することができる。また、強調照射手段において、撮影手段より上の領域における、撮影手段の撮影中心方向と鉛直方向とが作る面の一部を含むように配置されているため、撮影手段の略真上から、発光面が被写体位置に向かった光を照射することができる。また、強調照射手段が、撮影手段の撮影中心方向と鉛直方向とが作る面の一部を含むように配置されているため、被写体に照射した光の反射光を確実に撮影手段に入れることができる。
【００５５】
また、強調照射手段における、撮影手段から撮影中心方向となる直線上であって、撮影手段から所定の距離となる所定位置の照度が、他の照射手段の何れか１つの上記所定位置での照度よりも強くなっているため、上記所定の位置を際立たせて光らせることができる。
【００５６】
よって、被写体における特定部位を際立たせて照射することができるという効果を奏する。ゆえに、被写体の特定部位においてメリハリのある、立体感のある品位の高い写真を提供することができる。なお、上記被写体の特定部位が鼻である場合には、鼻筋の通った立体感のある顔の写りの写真を提供することができる。そのため、利用者に写真写りがよい写真プリント装置であるという印象を持たせることが可能となる。また、照明における様々なバリエーションを提供することができるという効果を奏する。
【００５７】
また、本発明に係る写真プリント装置は、以上のように、背景演出手段を有し、上記背景演出手段は、撮影の背景として用いられる、遮光性を有さない背景部材と、上記背景部材の少なくとも一部の領域の照度が変化するように、上記背景部材に対し被写体とは反対側から、光を照射する第１背景照射手段とを備える。
【００５８】
背景となる遮光性を有さない背景部材において、光の輝度が高い領域では色が薄く、輝度が低い領域では色が濃くなる。そのため、背景部材の少なくとも一部の領域にグラデーションを付けることができるという効果を奏する。グラデーションのない背景部材だけのときに比べ、倍の選択肢の中から好みの背景を選択することができる。すなわち、利用者により多くの背景のバリエーションを提供することができる。また、照明における様々なバリエーションを提供することができるという効果を奏する。
【発明を実施するための最良の形態】
【００５９】
本発明の実施の一形態について図１ないし図９に基づいて説明すれば、以下のとおりである。
【００６０】
本実施形態に係る写真プリント装置１は、利用者の写真を撮影する機能（撮影機能）、撮影した写真に対して落書きなどの編集を利用者に行わせる機能（編集機能）、及び編集された画像をプリントする機能（プリント機能）を備えているものである。なお、これらの機能は全て必須であるものではなく、例えば編集機能が省かれた構成とすることも可能である。
【００６１】
（写真プリント装置の外観的構成）
図１は、本実施形態に係る写真プリント装置１を上からの斜視図である。図１に示すように、写真プリント装置１は、利用者の写真を撮影する撮影空間２及び利用者に編集を行わせる編集空間３を備えている。なおここでは、撮影空間２と編集空間３とが別に設けられているが、一つになっていてもかまわない。
【００６２】
また、写真プリント装置１は、外側に、撮影空間２に利用者がいることを撮影空間２の外に向けて表示するための接客灯４と、撮影後のプリントが出てくるシール取り出し口５とを備えている。なお、これらの設置位置は特に限定されない。また、本実施形態では、写真プリント装置１において、シール取り出し口５が設置されている面に、何らかの表示を行うことのできる表示装置６、及びスピーカ７が設けられている。
【００６３】
図２は、写真プリント装置１の上からの平面図である。また、図３は、図２のＡ−Ａ’矢視断面図である。図４は、図２のＢ−Ｂ’矢視断面図である。
【００６４】
図３に示すように、写真プリント装置１は撮影空間２に、カメラユニット（撮影手段）８、モニタ９、撮影処理用タッチパネル１０、コイン投入口１１、トップストロボライト（強調照射手段）１２、上傘ライト（照射手段）１３・１４、下傘ライト（照射手段）１５、スピーカ１６・１７を備えている。また、撮影空間２に荷物置スペース１８が設けられていると、撮影空間２の利用者の利用勝手がよい。また、利用者がカメラユニット８に対して接近して、いわゆる「超アップ」撮影を行いたい場合、つま先部分をこのスペース１８に収め込み、カメラユニット８ギリギリまで近づくということもできる。また、図４に示すように、写真プリント装置１は、背景ユニット（背景演出手段）１９、天井ライト（第２照射手段）２０を備えている。
【００６５】
カメラユニット８は、利用者の写真を撮影するものであり、内部に例えばレンズ群、絞り、ＣＣＤ（charge coupled device）撮像素子などを備えたデジタルカメラを搭載している。また、カメラユニット８は、全身撮影やアップ撮影等の複数の撮影方法に対応できるように、ズーム、絞り、フィルタ等を切り替え可能に構成されてもよい。なお、カメラユニット８は、例えば垂直に設けられたレールによって昇降自在に取り付けられているようになっていてもよい。この場合、利用者の指示等に応じてカメラユニット８を最適な高さに設置することが可能となる。
【００６６】
モニタ９は、例えば液晶表示装置等から構成されている。モニタ９は、カメラユニット８のデジタルカメラが映している現在の状況、いわゆる、ライブビュー画像を映しだす。また、撮影時の撮影画面が表示される。
【００６７】
撮影処理用タッチパネル１０は、例えば液晶表示装置などのフラットパネルディスプレイやＣＲＴ（cathode ray tube）等の表示面にタッチセンサを設けて構成されている。この撮影処理用タッチパネル１０には、撮影処理における各種メッセージや画像などが表示される。具体的には、撮影処理用タッチパネル１０には、デモ画面、オープニング画面、課金処理指示画面、撮影処理における各種操作内容、撮影時の撮影画面などが表示される。
【００６８】
コイン投入口１１は、利用者がプレイ料金として所定金額のコインを投入するための投入口である。このコイン投入口１１には、釣り銭が生じた場合や、コインが投入された後でリセットされた場合に、コインを利用者に対して返却するための返却口も設けられている。また、装置本体の内部には、利用者から徴収したコインを蓄積するコイン容器（図示せず）が設けられている。
【００６９】
トップストロボ１２は、利用者の特定の領域を、本実施形態では利用者の鼻を、撮影の瞬間に照明する。トップストロボ１２は、図４に示すように、ストロボ光源１２ａ、リフレクター１２ｂ、及び発光版１２ｃを備えた構成となっている。
【００７０】
ストロボ光源１２ａは、撮影の瞬間にストロボ管が発光することによって、強い光を発する。このストロボ光源１２ａには、ストロボ管の発光を通過させる円形の開口部と、その周囲に設けられた反射板とが設けられている。これにより、ストロボ管の発光が適切にリフレクター１２ｂに対して照射されることになる。なお、このストロボ光源１２ａは、プロ用として用いられる比較的高価なリング型ストロボを用いる必要はなく、比較的安価な直管ストロボを用いればよい。
【００７１】
リフレクター１２ｂは、ストロボ光源１２ａから出射された光を、トップストロボライト１２における光照射方向、すなわち発光板１２ｃ方向に反射させるためのものである。リフレクター１２ｂにおける内側の面が反射面となっている。リフレクター１２ｂの形状としては、発光板１２ｃに光を集められるような形状であればよい。例えば、図４に示すようにトップストロボ１２における光照射方向での断面が、コの字型等であればよい。このリフレクター１２ｂの少なくとも反射面は例えばステンレスにより構成され、ストロボ光源１２ａからの光を反射させるようになっている。
【００７２】
発光板１２ｃは、リフレクター１２ｂから反射された光を出射させるものであり、例えば薄い乳白色のアクリル板などによって構成される。この発光板１３ｄの形状としては、発光面が略平面状となっており、また、鉛直方向に長い長方形である。しかし、鉛直方向に長い形状であればよく、例えば、楕円形等であってもかまわない。これにより光が大きく拡散せずに出射できるようになっている。つまり、トップストロボライト１２から照射される光の方向は限定され、光照射の指向性が高い状態となっている。
【００７３】
なお、トップストロボ１２において、発光面の単位面積当たりの輝度が、以下で説明する上傘ライト１３・１４及び下傘ライト１５のいずれか１つの発光面の単位面積当たりの輝度より大きくなるように、リフレクター１２ｂや発光板１２ｃの大きさが決められる。
【００７４】
また、トップストロボ１２は、カメラユニット８の上方領域で、発光板１２ｃにおける発光面の法線が、カメラユニット８の撮影中心方向と鉛直方向とが作る面上にあるように配置される。このような配置により、被写体に照射した光の反射光を確実にカメラユニット８のレンズ群に入れることができる。なお、撮影中心方向とは、例えば、カメラユニット８のレンズの光軸方向が挙げられる。さらに、トップストロボ１２において、少なくとも発光板１２ｃにおける発光面は、鉛直方向に向かって、所定の鋭角傾いて設置される。上記所定の鋭角について、好適な角度は、トップストロボ１２からの出射光が、撮影空間２における平均的立ち位置に立つ、平均的背高の利用者における平均的な高さにある鼻に当たり反射光となり、この反射光が、カメラユニット８のレンズ群に入射するような角度である。
【００７５】
以上の構成及び以上の配置により、トップストロボ１２は、利用者の鼻を効果的に照らすことができる。よって、被写体において、鼻筋の通った立体感のあるはっきりした顔の印象にすることが可能となるので、利用者に写真写りがよいという印象を持たせることが可能となる。すなわち、上記のようなトップストロボ１２により、立体感のある品位の高い撮影を行うことが可能となる。よって、従来の画一的な撮影状態でしか撮影できない写真プリント装置に対して差異化を図ることができ、利用者のより高度な撮影要求に応えることが可能な写真プリント装置を提供することができる。
【００７６】
なお、以上のような構成のトップストロボ１２は、その後部においてダクト状のアームによって支持されるようになっていてもよい。また、ストロボ光源１２ａに対する電源供給は、アームの内部を通った電源コードによって行われるようになっている。すなわち、電源コードが露出することがないので、例えば利用者によって電源コードが引っ張られたりするようなトラブルを防止することができる。また、発光側には、発光板１２ｃが設けられているので、利用者はストロボ光源１２ａなどに触れることはできないことになる。よって、このような部材に利用者が触れることによる破損などのトラブルも防止することができる。
【００７７】
なお、上記のアームを曲げに対して可動になっているようにすれば、トップストロボ１２による照明方向を変更することが可能となる。
【００７８】
また、トップストロボ１２の配置位置をある程度変更することが可能となっていてもよい。例えば、写真プリント装置１における支持部材に対して、レールを介してアームを取り付けるようにすれば、このレールに沿ってトップストロボ１２を移動させることが可能となる。以上のような構成であれば、様々な利用者の様々に異なる鼻の位置に対して、フレキシブルに対応させて、強い光を照射することが可能となる。
【００７９】
上傘ライト１３・１４及び下傘ライト１５は、発光面の形状が略円形または略楕円形となっているライトである。発光面の形状が略円形または略楕円形となっていることで、照射領域に向けて、大きく広げて光を出射させることができるので、効率よく被写体を照明することができる。また、このような形状であることで、例えばプロのカメラマンが撮影を行う時などに使われる照明装置と類似することになるので、利用者に対して、本格的な撮影が行われているような雰囲気を提供することができる。
【００８０】
上記上傘ライト１３・１４及び下傘ライトは、それぞれ、例えば蛍光灯などの、定常的に発光するための定常発光手段、及び、例えばストロボライトなどの、撮影の瞬間に強い光を発するための撮影時発光手段を備えている。すなわち、利用者がモニタ９及び撮影処理用タッチパネル１０に映し出されるライブビュー画像を見ながら撮影の構図やポーズを考える際には、定常発光手段による定常光が利用者に対して照射され、これによって光の当たり具合を確認することが可能となり、撮影の瞬間には撮影時発光手段が発光することによって、撮影に必要な強い光を利用者に照射することが可能となる。本実施形態では、上傘ライト１３と上傘ライト１４とでは、その発行面が同じ大きさ、また、上傘ライト１３（または上傘ライト１４）の発光面は、下傘ライト１５の発光面よりも大きくなるように設定されている。
【００８１】
上傘ライト１３・１４及び下傘ライト１５の構造は、基本的な構造は同じになっている。以下では、上傘ライト１３を代表して説明する。
【００８２】
図１０に示すように、上傘ライト１３は、ストロボ光源１３ａ、蛍光管１３ｂ、第１反射板１３ｃ、第２反射板１３ｄ、拡散板１３ｅ、及び発光板１３ｆを備えた構成となっている。
【００８３】
ストロボ光源１３ａは、撮影の瞬間に強い光を発するための撮影時発光手段に相当するものであり、ストロボ管が発光することによって光を発するようになっている。このストロボ光源１３ａには、ストロボ管の発光を通過させる楕円形の開口部と、その周囲に設けられた反射板とが設けられている。これにより、ストロボ管の発光が適切に第１反射板１３ｃに対して照射され、その反射光が、第２反射板１３ｄに照射されることになる。なお、このストロボ光源２１は、プロ用として用いられる比較的高価なリング型ストロボを用いる必要はなく、比較的安価な直管ストロボを用いればよい。
【００８４】
蛍光管１３ｂは、定常的に発光するための定常発光手段に相当するものである。この蛍光管１３ｂは、拡散板１３ｅに向けて光が照射されるように設けられている。
【００８５】
第１反射板１３ｃは、ストロボ光源１３ａから出射された光を、第２反射板方向に反射させるものである。第１反射板１３ｃの形状としては、板状となっており、ストロボ光源１３ａと向かい合う面が反射面となっている。また、蛍光管１３ｂが配置される面も反射面となっていれば、蛍光管１３ｂからの出射光を拡散板１３ｅに向かって反射することもできる。また、第１反射板１３ｃ自体は例えばアルミ板などによって構成されている。
【００８６】
第２反射板１３ｄは、第１反射板１３ｃにより反射された光を、上傘ライト１３における光照射方向、すなわち拡散板１３ｅ方向に反射させるためのものである。第２反射板１３ｄの形状としては、パラボラ形状となっており、内側の面が反射面となっている。この反射面は白色塗料で覆われており、光を反射させるようになっている。また、第２反射板１３ｄ自体は例えば樹脂などによって構成されており、強度を確保するために、板金などによって補強されている。
【００８７】
拡散板１３ｅは、第２反射板１３ｄに反射された光および蛍光管１３ｂから出射した光を拡散させて出射させるものである。例えばマット乳白などによって構成される。この発光板１３ｅの形状としては、光出射側が平面で構成され、これにより、光を拡散させるようになっている。
【００８８】
発光板１３ｆは、拡散板１３ｅから出射された光を拡散させて均一な光として出射させるものであり、例えばマット加工された乳白色のアクリル板などによって構成される。この発光板１３ｆの形状としては、光出射側が凸となる略部分球面となっており、これにより、光を広げて出射させるようになっている。このように、発光面において、マット加工された乳白色のアクリル板を用いることによって、被写体の肌のテカリを抑え、肌をなめらかに美しく見えるように撮影することが可能となる。また、光を拡散させているので、被写体に対して必要以上に強い影が生じることを防止することができるので、柔らかな印象の写真画像を得ることが可能となる。
【００８９】
以上の構成により、ストロボ光源１３ａ及び蛍光管１３ｂから出射された光は、拡散板１３ｅ、発光板１３ｆを介して外部に照射されることになる。これにより、均一な光を照射する上傘ライト１３を実現することができる。
【００９０】
なお、ストロボ光源１３ａからの光は、拡散板１３ｅによって拡散されるため、発光板１３ｆにおける影、つまり、ストロボ光源１３ａ及び蛍光管１３ｂが配置されている領域にできる影を少なくすることができる。また、蛍光管１３ｂの前面、つまり出射方向には遮蔽物がないので、影のない一様な定常光を発光板１３ｆから出射することができる。
【００９１】
以上のような構成の上傘ライト１３は、その後部においてダクト状のアームによって支持されるようになっている。また、ストロボ光源１３ａ及び蛍光管１３ｂに対する電源供給は、アームの内部を通った電源コードによって行われるようになっている。すなわち、電源コードが露出することがないので、例えば利用者によって電源コードが引っ張られたりするようなトラブルを防止することができる。また、発光側には、発光板１３ｄが設けられているので、利用者はストロボ光源１３ａや蛍光管１３ｂなどに触れることはできないことになる。よって、このような部材に利用者が触れることによる破損などのトラブルも防止することができる。
【００９２】
なお、上記のアームを曲げに対して可動になっているようにすれば、上傘ライト１３による照明方向を変更することが可能となる。
【００９３】
また、上傘ライト１３の配置位置をある程度変更することが可能となっていてもよい。例えば、写真プリント装置１における支持部材に対して、レールを介してアームを取り付けるようにすれば、このレールに沿って上傘ライト１３を移動させることが可能となる。以上のようにすれば、よりフレキシブルな照明環境を構築することが可能となる。
【００９４】
次に、上傘ライト１３・１４及び下傘ライト１５の配置位置について説明する。本実施形態では、上傘ライト１３・１４は、カメラユニット８上方領域で、かつ、カメラユニット８の撮影中心方向と鉛直方向とが作る面を挟んだ左右に配置される。つまり、図４に示すように、カメラユニット８が配置されている位置を正面とすると、カメラユニット８上方の上述したトップストロボ１２を挟んで左右同じ高さ位置に上傘ライト１３及び上傘ライト１４が配置される。また、下傘ライトは、カメラユニット８下方領域で、かつ、カメラユニット８の撮影中心方向と鉛直方向とが作る面を含んだ領域に配置される。つまり、図３に示すように、カメラユニット８が配置されている位置を正面とすると、カメラユニット８下方の上述したトップストロボ１２の略真下に配置される。また、これらの上傘ライト１３・１４及び下傘ライト１５は、反射板の中心からの照射方向が平均的利用者の立ち位置（例えば、カメラユニット８のレンズ面から５００ｍｍ〜８００ｍｍ）における平均的背の高さ（例えば、１５０ｃｍ）の利用者の平均的顔の位置に向かうように、配置される。
【００９５】
上記のような、上傘ライト１３・１４の配置により、被写体にバランスのよい光を照射することができる。そのため、パネル９等におけるライブビュー画像が明るく質のよいものとなり、利用者に好印象を与えることができる。また、利用者の満足度が高くなる美しい仕上がりの写真を提供することができる。また、上記のような、下傘ライト１５の位置により、被写体の顎の下と首との間に影のできない、ライブビュー画像、及び写真を提供することができる。また上記のような、上傘ライト１３・１４及び下傘ライト１５の配置により、被写体がカメラユニット８から離れても、カメラユニット８に近づいても、略均一の明るさで照射することができ、利用者に満足度の高い撮影空間を提供することができる。
【００９６】
なお、上傘ライト１３・１４、及び／または下傘ライト１５などをカメラユニット８よりも撮影空間側へ突き出した状態で配置すれば、利用者がカメラユニット８に近づきすぎることを防止することができる。すなわち、従来、被写体としての利用者が、カメラユニット８に対して必要以上に近い位置に位置して撮影を行った場合に、撮影画像が露出オーバーになるという問題が生じていたが、上記のように照明配置とすることによって、このような問題が生じることを抑制することができる。
【００９７】
スピーカ１６・１７は、利用者に対して各種操作上のガイダンス音声や効果音などを出力するものである。本実施形態では、このスピーカ１６・１７は、カメラユニット８を正面に見て下傘ライト１５を挟んで左右にそれぞれ設けられている。
【００９８】
背景ユニット１９は、撮影処理時において、背景を切り替えたりする処理を行う装置であり、撮影における背景を利用者の好みに応じて演出することができる。背景ユニット１９は、撮影の背景となる背景カーテン（背景部材）２１及び、背景ライト（第１背景照射手段）２２・２３を有している。
【００９９】
背景ユニット１９は、例えば様々な色、あるいは様々な絵柄や模様の背景カーテン２１を複数枚背景となる位置に用意しておき、これらを切り替えることによって、利用者の好みに応じた背景を演出することが可能となっている。この背景カーテン２１は、モータによって機械制御によって切り替え可能な、つまりモータ式となっていてもよいし、利用者がめくったりスライドさせたりすることによって切り替え可能な、つまり手動式になっていてもよい。なお、この背景カーテン２１は、遮光性を有さない材料から構成されているものとする。
【０１００】
背景ライト２２・２３は、背景カーテン２１に対し、利用者とは反対の側から、つまり撮影空間２に向かって、光を照射する。この背景ライト２２・２３は、光照射により、背景カーテン２１の一部の領域の照度を変化させるように構成される。このような、背景ライト２２・２３からの光照射により、背景カーテン２１にグラデーションをつけることができる。
【０１０１】
また、利用者には、カメラユニット８に向かった際に背後から、遮光性を有さない背景カーテン２１を通して背景ライト２２・２３からの光が当たることになる。そのため、利用者の輪郭を明るくぼやけさせた状態の写真を撮影することが可能となる。ここで、背景ライト２２・２３により被写体の輪郭周囲に回り込みの光が発生することが懸念されるが、これは、上述した上傘ライト１３・１４からの光照射により回避することができる。
【０１０２】
図２に示すように、背景ライト２２を背景カーテン２１を正面から見て右端の略中央に向けて照射する位置に、及び、背景ライト２３を背景カーテン２１を正面から見て左端の略中央に向けて照射する位置に、配置する。このような配置とすることで、背景カーテン２１を正面に見て、背景カーテン２１の中央から上下に向かってグラデーションができる。なお、背景ライトの配置位置は上記には限定されず、背景カーテン２１の一部の領域の照度が変化するように、つまり、一部の領域にグラデーションができるように、背景カーテン２１に対し利用者とは反対側から、光照射できるような位置であればよい。
【０１０３】
また、背景ライト２２・２３の光量を調整することができるようになっていれば、さらにグラデーションのバリエーションを増やすことができる。そのため、例えば、背景ユニット１９を設置するスペースの関係で、限られた枚数の背景カーテン２１であったとしても、利用者はより多くのカーテンのバリエーションから好みのものを選択できることになる。
【０１０４】
背景ライト２２は、定常的に発光するための定常発光手段として、蛍光灯等からなる背景蛍光灯２２ａ（第１定常発光手段）、及び、撮影の瞬間に強い光を発するための撮影時発光手段として、ストロボライト等からなる背景ストロボ２２ｂ（第１撮影時発光手段）を備えている。また、背景ライト２３も、定常的に発光するための定常発光手段として、蛍光灯等からなる背景蛍光灯２３ａ（第１定常発光手段）、及び、撮影の瞬間に強い光を発するための撮影時発光手段として、ストロボライト等からなる背景ストロボ２３ｂ（第１撮影時発光手段）を備えている。
【０１０５】
本実施形態では、背景蛍光灯２２ａは鉛直方向に上下に２本並べて配置され、その間に背景ストロボ２２ｂが配置される。また、背景蛍光灯２３ａも鉛直方向に上下に２本並べて配置され、その間に背景ストロボ２３ｂが配置される。また、背景ストロボ２２ｂと背景ストロボ２３ｂの発光方向がそれぞれ向かい合うように配置される。
【０１０６】
背景蛍光灯２２ａ・２３ａにより撮影空間２を明るくすることができる。そのため、撮影空間２にいる利用者に明るい雰囲気で快適に撮影を行えるという印象を与えることができる。
【０１０７】
天井ライト２０は、背景カーテン２１を、利用者側から照明する。この天井ライト２０は、背景カーテン２１を照射するように構成される。この天井ライト２０により、背景カーテン２１においてくっきり鮮やかな色合いを出すことができる。つまり、天井ライト２０の照明具合により背景カーテン２１の色の濃さが変わってくる。
【０１０８】
また、背景カーテン２１の一部の領域の照度を変化させるように構成されていてもよい。このような、天井ライト２０からの光照射により、背景カーテンにグラデーションをつけることができる。上記背景ライト２２・２３と合わせて用いることで、さらに、背景カーテン２１のグラデーションのパターンを増やすことができる。そのため、例えば、背景ユニット１９を設置するスペースの関係で、限られた枚数の背景カーテン２１であったとしても、利用者はさらに多くのカーテンのバリエーションから好みのものを選択できることになる。
【０１０９】
この天井ライト２０も、定常的に発光するための定常発光手段として、蛍光灯等からなる天井蛍光灯２０ａ（第２定常発光手段）、及び撮影の瞬間に強い光を発するための撮影時発光手段として、ストロボライト等からなる天井ストロボ２０ｂ（第２撮影時発光手段）を備えている。
【０１１０】
本実施形態では、天井ライト２０はカメラユニット８方向に傾斜している。この傾斜している部分には板金で蓋をしてあり、カメラユニット８方向には光が照射されないようになっている。下方に開口面があり、また、内部の反射板と拡散板の組み合わせにより、背景カーテン２１方向のみを照らす様に構成されている。
【０１１１】
この天井蛍光灯２０ａにより、撮影空間２が照らすことができる。そのため、撮影空間２にいる利用者に明るい雰囲気で快適に撮影を行えるという印象を与えることができる。
【０１１２】
また、この天井ライト２０が、例えば利用者の頭髪部にも照射するように配置されていれば、利用者の頭髪が輝いているような写真を撮影することが可能となる。
【０１１３】
なお、背景ユニット１９における背景カーテン２１を利用者側から照明するための照射手段は、天井ライト２０のように、天井での配置には限定はされず、例えば、床から背景カーテン２１に向かって光を照射するように、配置されていてもよい。特に、背景ライト２２・２３と背景カーテン２１を挟んで同じ位置を照射するように配置されていなければ、背景カーテン２１のグラデーションを増やすことができる。なお、同じ位置を照射するように配置されていてもかまわない。
【０１１４】
また、本実施形態の写真プリント装置１は、編集空間３に、編集装置２４を備えている。図５は、図２のＣ−Ｃ’矢視断面図である。つまり、写真プリント装置１を編集装置２４が設置されている面から見た正面図である。本実施形態では、上記編集装置２４は、写真プリント装置１の外の背面等に設置されている。
【０１１５】
編集装置２４は、撮影処理が完了した後に、写真画像に対して落書きなどの編集処理を行うための装置であり、編集処理用タッチパネル２４Ａ・２４Ｂを備えている。編集処理用タッチパネル２４Ａ・２４Ｂは、落書きなどの編集処理における各種メッセージや画像などを表示する。具体的には、編集処理用タッチパネル２４Ａ・２４Ｂには、落書きなどの画像編集処理時における編集対象の画像及び各種編集ツールなどが表示される。
【０１１６】
そして、編集処理用タッチパネル２４Ａ・２４Ｂの近傍（図５では編集処理用タッチパネル２４Ａ・２４Ｂの右側）には、それぞれタッチペンが備えられている。利用者は、このタッチペンを編集処理用タッチパネル２４Ａ・２４Ｂに接触させることによって、処理の進行に応じて表示されるボタンを選択したり、落書きなどの画像描画を行ったりすることが可能となる。
【０１１７】
ここで、上記のように、編集装置２４には２つの編集処理用タッチパネル２４Ａ・２４Ｂが並設されている。これにより、２つの編集処理用タッチパネル２４Ａ・２４Ｂにそれぞれに表示された撮影画像に、２人の利用者が同時に落書き処理などを入力することができる。なお、編集処理用タッチパネル２４Ａ・２４Ｂには、異なる撮影画像をそれぞれ表示させることができ、利用者は、別々の撮影画像に対して落書き処理などを入力することもできる。また、落書き処理において、一方の編集処理用タッチパネル２４Ａまたは２４Ｂから入力された落書き処理を、他方の編集処理用タッチパネル２４Ｂまたは２４Ａに反映される反映処理や落書き可能範囲を制限する処理などが行われるようになっていてもよい。
【０１１８】
なお、編集装置２４の付近にスピーカ２５を設けておき、利用者に編集作業の指示等を与える音声を出力できるようになっていると好ましい。また、編集装置２４の付近に蛍光灯２６が設けられていると、編集空間３を明るく照らすことができるため好ましい。また、編集装置２４の付近に荷物フックを設けると、利用者は荷物を常に視界内に入れることができるので、置き引きを防止することができる。また、図１や図４に示すように、編集空間３には、専用の囲い、例えば、カーテン２７が設けられていてもよい。このようなカーテン２７を設けることにより、他人に編集作業を覗かれることがない。そのため利用者は、落ち着いて編集作業を行うことができる。
【０１１９】
（写真プリント装置における機能的説明）
次に、上記写真プリント装置１の機能的な構成について、図６に示すブロック図を参照しながら説明する。同図に示すように、写真プリント装置１は、前記したカメラユニット８、モニタ９、撮影処理用タッチパネル１０、編集装置２４、接客灯４、背景ユニット１９、及び照射装置３０に加えて、制御装置３１、出入り口カーテン３３、課金処理部３４、電源装置３５、ＩＤタグリーダ／ライタ３６、及びプリンタ（画像出力手段）３７を備えている。なお、照射装置３０は、上記のトップストロボ１２、上傘ライト１３・１４及び下傘ライト１５を総称したものである。また、以下の説明で、照射装置３０における定常発光手段とは、上傘ライト１３・１４の蛍光管１３ｂ・１４ｂ、及び下傘ライト１５の蛍光管１５ｂを指し、照射装置３０における撮影時発光手段とは、トップストロボのストロボ光源１２ａ、上傘ライト１３・１４のストロボ光源１３ａ・１４ａ、及び下傘ライト１５のストロボ光源１５ｂを指すものとする。
【０１２０】
制御装置３１は、写真プリント装置１内における上述した各種構成の動作を統括的に制御するものである。この制御装置３１は、例えばＰＣベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置３１がインターネットなどの通信ネットワークに接続された構成とする場合、この通信ネットワークを介して上記プログラムをダウンロードしてハードディスクなどにインストールして実行する形態なども考えられる。
【０１２１】
電源装置３５は、写真プリント装置１内における上述した各種構成に対して電力供給を行うためのものである。
【０１２２】
課金処理部３４は、コイン投入口１１からの代金投入、及びコイン返却処理などを制御するものであり、利用者から徴収する課金に関する処理を行うブロックである。課金処理部３４による課金状況に応じて、制御装置３１が該当利用者に対する動作を制御する。
【０１２３】
出入り口カーテン３３は、写真プリント装置１の出入り口に設けられているカーテンであり、この開閉は電動によって行われるようになっていてもよい。
【０１２４】
ＩＤタグリーダ／ライタ３６及びプリンタ３７は、プリンタユニットを構成しており、このプリンタユニットに対して、写真プリントの出力媒体となるプリント紙（プリント媒体）５２及びＩＤタグ５１がプリント紙ユニット５０としてセットで納入されるようになっている。
【０１２５】
プリンタ３７は、出力すべき画像データが制御装置３１から送られてくると、その画像データに基づいてプリント紙５２に印刷を行うものである。このプリンタ３７としては、例えば昇華型プリンタが用いられる。なお、昇華型プリンタを用いる場合には、プリント紙５２及びＩＤタグ５１に加えて、昇華型用インクフィルムがセットとなって納入されることになる。
【０１２６】
ＩＤタグリーダ／ライタ３６は、ＩＤタグ５１に記録されている各種識別情報を読み出して制御装置３１に出力する。ＩＤタグ５１は、メモリ機能を有するＩＣチップなどによって構成されるものである。上記識別情報としては、固有ＩＤ、用紙枚数、用紙種類、及び、インク固有の色情報（インクフィルムがセットとなっている場合）などが挙げられる。
【０１２７】
制御装置３１は、ＩＤタグリーダ／ライタ３６で読み取った識別情報に基づいて、装着されたプリント紙５２及びインクフィルムが、当該写真プリント装置１において利用可能なものであるかを判定し、利用可能である場合にのみプリンタ３７を動作可能とする。すなわち、写真プリント装置１において指定されているプリント紙５２及びインクフィルム以外は使用できないように設定されていることになる。
【０１２８】
また、ＩＤタグ５１に記録されている用紙枚数情報に基づいて、プリント紙を使用するごとに用紙枚数をカウントダウンしていくことによって、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。なお、用紙枚数をカウントダウンする際には、ＩＤタグ５１に記録されている用紙枚数情報も書き換えるようにする。これにより、用紙を使い切った場合には、ＩＤタグ５１に記録されている用紙枚数情報も０となり、このＩＤタグ５１を無効にすることが可能となる。
【０１２９】
また、ＩＤタグ５１に記録されている用紙種類情報や、インク固有の色情報を読み出すことによって、これらを考慮して画像データの色成分などを補正することにより、その用紙やインクフィルムに的確な画像出力を行うことが可能となる。
【０１３０】
ＩＤタグ５１としては、無線によりデータ通信を行うことが可能な非接触型ＩＤタグと、端子が設けられた接触型ＩＤタグとがあり、ＩＤタグリーダ／ライタ３６としては、これらのどちらか一方あるいは両方に対応したものとなる。
【０１３１】
なお、上記の例では、ＩＤタグを利用して利用可能なプリント紙であるか否かを確認するようになっているが、これに限定するものではなく、例えば、プリント紙及びインクフィルムを梱包する梱包材などにプリントされているバーコードなどを利用して確認するような構成としてもよい。しかしながら、バーコードを用いる場合には、含めることのできる情報量が少ないことや、例えば用紙枚数のカウントダウンによる情報の書き換えができない、などの問題がある。
【０１３２】
なお、上記のプリント紙としては、通常の紙状媒体である紙状シートであってもよいし、粘着シート及び該粘着シールの粘着面に貼り付けられている剥離シートからなるシールシートであってもよい。
【０１３３】
また、制御装置３１は、撮影合成処理部４０、編集画像処理部４１、記憶部４２、照明制御部４３、出入り口制御部４４、及び背景制御部４５を備えている。
【０１３４】
撮影合成処理部４０は、後述する撮影処理を行うブロックである。編集画像処理部４１は、後述する編集処理を行うブロックである。これらのブロックは、上記したように、それぞれ相当する処理を行うプログラムをコンピュータが実行することによって実現されるものである。
【０１３５】
記憶部４２は、上記したハードディスクなどの不揮発性の記憶装置によって構成されるものである。この記憶部４２に記憶される内容としては、上記した制御プログラム、ＯＳ（Operating System）プログラム、及びその他各種プログラム、撮影カメラにおける動作設定値、撮影した画像及び編集した画像の画像データなどが挙げられる。上記の撮影カメラにおける動作設定値としては、装置出荷時やメンテナンス時などに設定されるホワイトバランスの値、撮影画像の明暗などを調整する際の画像処理に関する各種パラメータ値などが挙げられる。
【０１３６】
照射制御部４３は、照射装置３０の制御を行うブロックである。例えば撮影処理時において、利用者が撮影の構図やポーズを考えている期間には、各照射装置３０における定常発光手段のみを発光させるようにするとともに、撮影の準備ができて撮影が行われる瞬間に、各照射装置３０における撮影時発光手段を発光させるような制御を行う。また、必要に応じて、各照射装置３０の光量を制御したり、各照射装置３０の照明方向を変更する制御をしたりするようになっていてもよい。
【０１３７】
さらに、照射制御部４３は、照射装置３０における撮影時発光手段による発光光量を変更することができるようになっていてもよい。この場合、設定された撮影時発光手段の発光光量に応じて、定常発光手段の光量が調整されるようになっていれば、ライブビュー画像における照明状態、すなわち鼻筋の目立ち具合などを的確に表現することが可能となる。
【０１３８】
また、照射制御部４３は、照射装置３０における定常発光手段による発光光量を変更することができるようになっていてもよい。この場合、例えば、照射制御部４３は、利用者からの指示に応じて発光量を調整してもよい。すなわち、例えば、利用者により決定された定常発光手段の発光光量に応じて、照射制御部４３は、定常発光手段の発光量を調整する。このようになっていることで、利用者は、モニタ９や撮影処理用タッチパネル１０におけるライブビュー画像を確認しながら、美しく見える光の当たり具合のよい好みの照明を得ることができる。さらにこの場合、照射制御部４３が、上記の利用者の決定に応じて上記定常発光手段の発光量を調整し、これに合わせて、照射制御部４３が、撮影時発光手段の光量を調整するようになっていれば、ライブビュー画像において利用者や背景に体ス対する照明状態を利用者に的確に確認させることができ、また、それを写真に写すことが可能となる。よって、利用者は、モニタ９や撮影処理用タッチパネル１０で確認した、好みの照明での写真を得ることができる。よって、利用者に高い満足度を与えることができる。
【０１３９】
出入り口制御部４４は、出入り口カーテン３３の開閉を制御するブロックである。出入り口カーテン３３は、撮影処理時において外部からの光が撮影空間内に入ってくることを防ぐために設けられており、遮光性を有するシートなどによって構成されるものである。そして、出入り口制御部４４は、出入り口カーテン３３の開閉を次のように制御する。
【０１４０】
まず、ゲームアイドル時（客待ち状態）においては、出入り口カーテン３３を開放した状態に制御する。そして、利用者が撮影空間内に入り、所定の金額の投入が行われたことを課金処理部３４が確認すると、この時点で出入り口カーテン３３を閉じる制御を行う。このとき、接客灯４を点灯させ、撮影空間２に利用者がいることを撮影空間２の外に向けて表示させる。例えば、接客灯４は、撮影空間２に利用者がいる間には、撮影中との文字が点灯し、撮影空間２から利用者がいなくなれば、その文字が消灯するようになっていればよい。その後、出入り口制御部４４は、撮影処理、及び編集処理が終了したことが確認されると、この時点で出入り口カーテン３３を開放する制御を行う。
【０１４１】
また、出入り口カーテン３３が開放されているべき状態である時に利用者によって無理矢理カーテンが閉められようとされた場合や、出入り口カーテン３３が閉じられているべき状態である時に利用者によって無理矢理カーテンが開けられようとした場合には、周囲に聞こえるような音量で警報を発するとともに、ゲームの進行を停止するように制御するようになっていてもよい。このようにすることによって、密閉空間での犯罪を防止したり、いたずらを防止したりすることができる。
【０１４２】
背景制御部４５は、背景ユニット１９の動作制御を行うブロックである。上記した背景カーテン２１を切り替えることによって、利用者の好みに応じた背景を演出することが可能となっている。この背景用カーテン２１は、上記したように、モータ式によって機械制御によって切り替え可能となっていてもよいし、利用者がめくったりスライドさせたりすることによって切り替え可能な手動式となっていてもよい。
【０１４３】
背景カーテン２１がモータ式である場合、例えば撮影処理時において、利用者が撮影時の雰囲気を選択することによって撮影モードが設定される場合、その撮影モードに適した背景となるように、背景制御部４５が背景カーテン２１を制御する。ここで、利用者が無理に背景カーテン２１を引っ張ったりした場合には、周囲に聞こえるような音量の警報を発し、ゲームを停止するようにしてもよい。さらにその時点の動画や静止画として撮影保存し、後ほどの原因究明に利用できるようにしてもよい。
【０１４４】
一方、背景カーテン２１が手動式である場合、利用者が背景カーテン２１を好みに応じて選択した際に、選択された背景カーテン２１を検知し、この検知結果に応じて、その背景カーテン２１に応じたゲーム動作、例えば効果音、ＢＧＭ、ナレーションのキャラクター、ゲーム進行画面表示のデザインなどを行うように制御してもよい。ここで、上記と同様に、利用者が無理に背景カーテン２１を引っ張ったりした場合には、周囲に聞こえるような音量の警報を発し、ゲームを停止するようにしてもよい。
【０１４５】
なお、本実施形態では、上記のような背景カーテン２１の選択は、最初の撮影が始まる前に、利用者に全撮影回数分をまとめて選択させるものとするが、撮影１回毎でもかまわない。まとめて選択させれば、撮影１回毎の選択に比べ時間が節約できるとともに、利用者の煩わしさを軽減することができる。また、背景カーテン２１の存在に気づかないなどの理由によるカーテンの使用忘れを利用者に防止させることができる。背景カーテン２１が使用されていない場合には、利用者に背景カーテン２１の使用忘れの警告を、スピーカ１６・１７による音声や撮影処理用タッチパネル１０での表示を通じて行うようにしてもよい。
【０１４６】
また、背景制御部（第１光量調整手段、第２光量調整手段）４９は背景ライト２２・２３、及び、天井ライト２０を制御する。なお、図６が示すように天井ライト２０も背景ユニット１９に含まれているが、含まれていなくてもかまわない。含まれていない場合には、天井ライト２０を制御する制御部が必要となる。
【０１４７】
例えば撮影処理時において、利用者が撮影の構図やポーズを考えている期間には、背景蛍光灯２２ａ・２３ａ及び／または天井蛍光灯２０ａを発光させるようにする。また、撮影の準備ができて撮影が行われる瞬間には、背景ストロボ２２ｂ・２３ｂ及び／または天井ストロボ２０ｂを発光させるような制御を行う。また、必要に応じて、背景ライト２２・２３及び天井ライト２０の光量を制御したり、照明方向を変更する制御をしたりするようになっていてもよい。
【０１４８】
さらに、背景制御部４５は、背景ストロボ２２ｂ・２３ｂ及び／または天井ストロボ２０ｂによる発光光量を変更することができるようになっていてもよい。この場合、設定された発光光量に応じて、背景蛍光灯２２ａ・２３ａ及び／または天井蛍光灯２０ａの光量が調整されるようになっていれば、ライブビュー画像において撮影時に得られるのと同様な照明状態、すなわち、背景カーテン２１のグラデーション状態や色の濃さなどを的確に表現することが可能となる。
【０１４９】
また、背景制御部４５は、背景蛍光灯２２ａ・２３ａ及び／または天井蛍光灯２０ａによる発光光量を変更することができるようになっていてもよい。この場合、例えば背景制御部４５は、利用者からの指示に応じて発光量を調整してもよい。すなわち、例えば、利用者により決定された背景蛍光灯２２ａ・２３ａ及び／または天井蛍光灯２０ａの発光光量に応じて、背景制御部４５は、背景蛍光灯２２ａ・２３ａ及び／または天井蛍光灯２０ａの発光量を調整する。このようになっていることで、利用者は、モニタ９や撮影処理用タッチパネル１０におけるライブビュー画像を確認しながら、好みのグラデーションの状態で、好みの色の濃さの背景カーテン２１の画像の状態を得ることができる。さらにこの場合、背景制御部４５が、上記の利用者の決定に応じて背景蛍光灯２２ａ・２３ａ及び／または天井蛍光灯２０ａの発光量を調整し、これに合わせて、背景制御部４５が、背景ストロボ２２ｂ・２３ｂ及び／または天井ストロボ２０ｂの光量を調整するようになっていれば、ライブビュー画像における照明状態を的確に写真に写することが可能となる。よって、利用者は、モニタ９や撮影処理用タッチパネル１０で確認した、好みの背景での写真を得ることができる。よって、利用者に高い満足度を与えることができる。
【０１５０】
また、背景制御部４５は、背景蛍光灯２２ａ・２３ａによる発光を消すことができるようになっていてもよい。この場合、例えば、利用者が背景カーテン２１にグラデーションを選択しない場合に、背景制御部４５が、背景蛍光灯２２ａ・２３ａによる発光を消すことで、グラデーションのある背景カーテン２１との違いをモニタ９や撮影処理用タッチパネル１０のライブビュー画像において、利用者に確認させることができる。つまり、背景蛍光灯２２ａ・２３ａが発光している場合のライブビュー画像が、グラデーションがある背景カーテン２１での撮影状態を表示しており、背景蛍光灯２２ａ・２３ａが発光していない場合のライブビュー画像が、グラデーションがない背景カーテン２１での撮影状態を表示していることになる。
【０１５１】
また、背景制御部４５は、天井蛍光灯２０ａによる発光を消すことができるようになっていてもよい。この場合、例えば、利用者が背景カーテン２１に色の濃いもの（ここでは濃いピンク色とする）を選んだ場合に、背景制御部４５が、背景蛍光灯２２ａ・２３ａ及び／または天井蛍光灯２０ａによる発光を消すことで、薄いピンク色の背景カーテン２１との違いをモニタ９や撮影処理用タッチパネル１０のライブビュー画像において、利用者に確認させることができる。つまり、背景蛍光灯２２ａ・２３ａが発光している場合のライブビュー画像が、薄いピンク色の背景カーテン２１での撮影状態を表示しており、背景蛍光灯２２ａ・２３ａが消灯している場合のライブビュー画像が、濃いピンク色の背景カーテン２１での撮影状態を表示していることになる。また、この場合、背景制御部４５は、天井ストロボ２０ｂを発光させないことで、濃いピンク色の背景部材での撮影を可能とすることができ、反対に背景制御部４５は、天井ストロボ２０ｂを発光させることで、薄いピンク色の背景部材での撮影を可能とすることができる。
【０１５２】
なお、上記本実施形態では、照射制御部４３が照射装置３０を制御し、出入り口制御部４４が接客灯４を制御し、背景制御部４５が背景ライト２２・２３、及び天井ライト２０を制御するような構成としたが、照射制御部４３が、背景蛍光灯２２ａ・２３ａ及び背景ストロボ２２ｂ・２３ｂ、接客灯４の等、すなわち、写真プリント装置１における照明に関する装置一切を制御してもかまわない。
【０１５３】
なお、図６には図示しないが、撮影空間２の荷物置きスペース１８や、編集空間３の荷物フックに、例えば重量センサなどを設けた構成としてもよい。この場合、利用者がこの荷物置きスペース１８に荷物を置いたり、荷物フックに荷物をかけたりすると、荷物が置かれたことを装置側で認識することが可能となる。よって、例えば撮影や編集終了後、所定の時間が経過した後も荷物が置かれた状態となっている場合には、利用者が荷物を忘れていることが予想されるので、利用者に対して荷物の置き忘れの警報を発することが可能となる。また、撮影や編集進行中において、荷物が取り除かれたことを検出した場合には、利用者がプレイに夢中になっている間に置き引きが行われたことが予想されるので、警報を発することが可能となる。
【０１５４】
（撮影処理の流れ）
次に、上記写真プリント装置１における撮影処理の流れについて、図７に示すフローチャートを参照しながら説明する。この編集処理は、基本的に、撮影合成処理部４０によって、行われることになる。
【０１５５】
ステップ１（以降Ｓ１のように省略する）において、利用者が撮影空間２に進入すると、撮影処理用タッチパネル１０にはデモ画面が表示される。なお、このデモ画面は、客待ち状態であるとき、常に表示されていてもよいものとする。ここでは、デモ画面では、利用者に対して、コイン投入口１１から代金としてのコインを投入するよう指示が表示される。なお、撮影前、撮影空間２において、上傘ライト１３・１４の蛍光管１３ｂ・１４ｂ、下傘ライトの蛍光管１５ｂ、天井蛍光灯２０ａ、及び背景蛍光灯２２ａ・２３ａ全てが光照射しているものとする。撮影空間２全てが明るく照らされていることになるので、利用者には光輝いて見える。このように撮影空間２が照明されていることで、撮影空間２に進入してきた利用者に対して、きれいな撮影が行えるということを印象付けることができる。
【０１５６】
次にステップＳ２において、課金処理部３４はコインの投入があるか否かの確認を行う。ここで、利用者によるコイン投入口１１からコインの投入があることを確認すると、すなわちステップＳ２において、ＹＥＳの場合、次のＳ３に進む。ここで、コインの投入を確認できない場合には、すなわちＳ２においてＮＯの場合には、Ｓ１に戻りデモ画面を表示する。
【０１５７】
Ｓ３において、撮影処理用タッチパネル１０には、撮影処理用タッチパネル１０の操作の説明を行う画面が表示される。ここで、モニタ９においてライブビュー画像が写し出される。以降撮影終了まで、このモニタ９におけるライブビュー画像は映し出され続けるものとする。
【０１５８】
操作説明を行う画面の表示が終わると、Ｓ４において、撮影処理用タッチパネル１０には、照明選択画面が表示される。この照明選択画面とは、利用者に照明を選択させるための画面である。利用者による照明選択に従って、照射制御部４３は照射装置３０を制御する。例えば、照明選択画面には、「明るめふんわり」と「くっきりナチュラル」とが利用者に選択させるようになっているとする。ここで、利用者が「明るめふんわり」を選択すると、照射制御部４３は、上傘ライト１３・１４の蛍光管１３ｂ・１４ｂ及び下傘ライト１５の蛍光管１５ｂの光量が大きくなるように制御し、さらに後の撮影において、上傘ライト１３・１４のストロボ光源１３ａ・１４ａ及び下傘ライト１５のストロボ光源１５ａの光量が大きくなるように調整し制御する。利用者が「くっきりナチュラル」を選択した場合、照射制御部４３は、上傘ライト１３・１４の蛍光管１３ｂ・１４ｂ及び下傘ライト１５の蛍光管１５ｂの光量が小さくなるように制御する。またこの場合、照射制御部４３は、後の撮影において、上傘ライト１３・１４のストロボ光源１３ａ・１４ａ及び下傘ライト１５のストロボ光源１５ａの光量が小さくなるように、さらに、トップストロボ１２のストロボ光源１２ａが照射するように制御する。
【０１５９】
ここで被写体は、選んだ照明の下で、ライブビュー画像を見ながら立ち位置やポーズを決めることになる。また、カメラユニット８は、ここ選択された照明の下で以後の撮影を行うことになる。そのため、上記のような照射制御部４３の制御により、ライブビュー画像における照明状態を的確に写真に写すことが可能となる。よって、利用者は、希望した照明が略そのまま反映された写真を得ることができる。つまり、利用者にとって満足度の高い写真を提供することができる。
【０１６０】
照明が選択されると、Ｓ５において、撮影処理用タッチパネル１０に、カーテン選択画面が表示される。このカーテン選択画面とは、利用者に背景となる背景カーテン２１を選択させるための画面である。図８は、カーテン選択画面の表示例である。背景カーテン２１の選択は、利用者に撮影回数分、ここでは２回分をまとめて選択させる。図８に示すように、例えば、利用者が１枚目として「イエロー」を選択した場合、背景制御部４５は、イエローの背景カーテン２１が撮影背景となるように設置する。ここで、背景制御部４５が、背景蛍光灯２２ａ・２３ａが発光しないように制御することで、利用者に対して、モニタ９や撮影処理用タッチパネルのライブビュー画像において、グラデーションがない背景カーテン２１での映りを確認させてもよい。また、利用者がグラデーションのない背景カーテン２１を選択した場合、後の撮影時において、背景制御部４５は背景ストロボ２２ｂ・２３ｂを発光しないように制御する。
【０１６１】
また図８に示すように、例えば、利用者が２枚目として「グラデーションがあるグリーン」を選択した場合、背景制御部４５は、グリーンの背景カーテン２１が撮影背景となるように設置する。ここでは、背景制御部４５は、背景蛍光灯２２ａ・２３ａを発光するように制御していると、利用者は、ライブビュー画像において、グラデーションのある背景カーテン２１での映りを確認することができる。
【０１６２】
また、利用者がグラデーションのある背景カーテン２１を選択した場合、後の撮影時において、背景制御部４５は背景ストロボ２２ｂ・２３ｂを発光させるように制御する。このような背景制御部４５の制御により、ライブビュー画像におけるカーテンのグラデーション状態を的確に写真に写すことが可能となる。
【０１６３】
カーテンが選択されると、Ｓ６において、Ｓ４で選んだ照明で、かつＳ５で選んだ背景での撮影が行われる。本実施形態では、２枚の写真を連続して撮影する。１回目はＳ４で選んだ照明、かつＳ５で初めに選んだ背景で撮影が行われ、２回目は、Ｓ４で選んだ照明、でかつＳ５で後に選んだ背景で撮影が行われる。撮影が終わると、撮影処理用タッチパネル１０には撮影された２つの画像が表示される。
【０１６４】
ここでＳ６が終わると、Ｓ５に戻る。Ｓ５かつその後のＳ６の処理は、利用者の設定により最大４回繰り返される。つまり、２枚のカーテンの選択及び２枚の撮影が、利用者の設定により最大４回行われる。よって、計８回の撮影が行われることになる。デフォルトではＳ５かつその後のＳ６の処理は３回繰り返されるものとする。
【０１６５】
撮影が全て終了すると、Ｓ７において、撮影処理用タッチパネル１０には、画像選択画面が表示される。この画像選択画面とは、利用者にＳ６において撮影した画像を選択させるための画面である。利用者が、撮影した計８枚の画像の中から最大４枚の画像を選択できるようになっている。デフォルトでは、撮影１枚目から４枚目までが選ばれるものとする。
【０１６６】
利用者による画像選択が終了すると、Ｓ８において、撮影処理用タッチパネル１０には、明るさ調整画面が表示される。この明るさ調整画面は、Ｓ７で選択した画像に対して、シールとして出力する際の画像の明るさ調整を利用者に行わせるための画面である。この明るさ調整は、５段階の明るさから利用者が選ぶことで行うことができるものとする。また、明るさ調整は、Ｓ７で選択した画像全てに対して、それぞれ行うことができるものとする。なお、デフォルトの明るさは設定３段階の明るさのものとする。
【０１６７】
利用者による画像の明るさの決定が終了すると、Ｓ９において、撮影処理用タッチパネル１０には、落書き移動画面が表示される。この落書き移動画面は、利用者に対して、編集処理空間３への移動を促すための表示が行われる画面である。
【０１６８】
落書き移動画面の表示が終了すると、Ｓ１に戻り、撮影処理用タッチパネル１０には、デモ画面が表示され、写真プリント装置１における撮影空間２は客待ち状態となる。
【０１６９】
なお、Ｓ４の後に、例えば、撮影処理用タッチパネル１０に、利用者に撮影の雰囲気を選択させるための画面であるモード選択画面を表示し、利用者による撮影の雰囲気を選択させてもよい。利用者の選択した撮影モードに従って、選択した雰囲気で撮影できるよう、その後の処理を適宜変えてもよい。
【０１７０】
また、上記各ステップにおける利用者への説明をスピーカ１６・１７から出力させてもよい。
【０１７１】
（編集処理の流れ）
次に編集処理（落書き）について、図９のフローチャートを用いて詳細に説明する。なお、撮影処理された画像は、バッファメモリ等に一時的に記憶され、先の利用者の編集処理が終わったら順次、編集装置２４に転送されるものとする。この編集処理は、基本的に、編集画像処理部４１によって、行われることになる。
【０１７２】
初めにＳ１１において、編集装置２４の編集処理用タッチパネル２４Ａ・２４Ｂには、初期状態としてデモ画面が表示される。なお、このデモ画面は、客待ち状態であるときは、常に表示されていてもかまわない。
【０１７３】
画像の転送が終わると、Ｓ１２において、編集処理用タッチパネル２４Ａ・２４Ｂに落書き画面が表示される。この落書き画面とは、利用者が撮影した画像に対し、編集処理を行わせる画面である。この画面上で、利用者が編集処理を行うことができる。なお、ここでスピーカ２５から利用者に対して編集処理に関する説明等が流れてもよい。ここで、利用者は、画像に対して編集処理を行うことができる。
【０１７４】
利用者による編集処理が終わると、Ｓ１３において、編集処理用タッチパネル２４Ａ・２４Ｂに、写真プリント装置１におけるシール取り出し口５の設置された場所に移動を促す、移動誘導画面が表示される。ここで、スピーカ２５から利用者に対して移動を促す案内が流れてもよい。
【０１７５】
その後、編集装置２４の編集処理用タッチパネル２４Ａ・２４Ｂには、次の利用者に対するデモ画面が表示されるＳ１１に戻る。
【０１７６】
なお、利用者による編集処理が終わると、写真プリント装置１は、シール取り出し口５から編集処理された写真プリントの出力を行う。この写真プリントの出力の待ち時間に、何らかの映像が表示パネル６に表示されたり、何らかの音声がスピーカ７から流れたりしてもよいものとする。
【０１７７】
なお、上記した本実施の形態では、写真プリント装置１は、トップストロボ１２と背景ライト２２・２３とを両方有するものとして説明したが、どちらか一方を有していない形態でもかまわない。すなわち、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１７８】
以上のように、本発明の写真プリント装置は、照明のバリエーションの多い撮影を行うことが可能である。そのため、本発明は、例えば、ゲームセンターなどの娯楽施設や遊戯施設において、利用者の写真撮影を行うとともに、その写真を背景画像などと合成した上でシールプリントとして出力する写真プリント装置に利用することができる。
【図面の簡単な説明】
【０１７９】
【図１】本発明の一実施形態に係る写真プリント装置の上からの斜視図である。
【図２】上記写真プリント装置の上からの平面図である。
【図３】図２のＡ−Ａ’矢視断面図である。
【図４】図２のＢ−Ｂ’矢視断面図である。
【図５】図２のＣ−Ｃ’矢視断面図である。
【図６】上記写真プリント装置の機能的な構成を示すブロック図である。
【図７】上記写真プリント装置における撮影処理の流れを示すフローチャートである。
【図８】上記写真プリント装置の撮影処理時おける照明選択例を示す表示画面図である。
【図９】上記写真プリント装置における編集処理の流れを示すフローチャートである。
【図１０】上記写真プリント装置における上傘ライトの断面図である。
【符号の説明】
【０１８０】
１    写真プリント装置
２    撮影空間
３    編集空間
５    シール取り出し口
８    カメラユニット（撮影手段）
９    モニタ
１０    撮影処理用タッチパネル
１２  トップストロボ（強調照射手段）
１３・１４  上傘ライト（照射手段）
１５  下傘ライト（照明手段）
１９  背景ユニット（背景演出手段）
２０  天井ライト（第２背景照射手段）
２０ａ  天井蛍光灯（第２定常照射手段）
２０ｂ  天井ストロボ（第２撮影時照射手段）
２１  背景カーテン（背景部材）
２２・２３  背景ライト（第１背景照射手段）
２２ａ・２３ａ  背景蛍光灯（第１定常照射手段）
２２ｂ・２３ｂ  背景ストロボ（第１撮影時照射手段）
２４  編集装置
２４Ａ・２４Ｂ  編集処理用タッチパネル
３０  照射装置（照射手段）
３７  プリンタ（画像出力手段）
４５  背景制御部（第１光量調整手段、第２光量調整手段）
【図１】
2005189652.tif 000003
【図２】
2005189652.tif 000004
【図３】
2005189652.tif 000005
【図４】
2005189652.tif 000006
【図５】
2005189652.tif 000007
【図６】
2005189652.tif 000008
【図７】
2005189652.tif 000009
【図８】
2005189652.tif 000010
【図９】
2005189652.tif 000011
【図１０】
2005189652.tif 000012